(57)【要約】【課題】特定の第三者に対して、「ポイント」の蓄積による対価の還元を受け取らせることができるようにした。【解決手段】ポイント蓄積による対価の還元を受けたい第三者がクライアント２のプログラムを起動すると、クライアント２は、予め定められている配信元Ｗｅｂサーバ５の通信アドレスを使用して、サーバ５にアクセスする。一方、「ポイント」を取得して蓄積する消費者は、クライアント１のプログラムを起動して、ポイント蓄積による対価の還元を受け取らせたい第三者が立設したポイント収集者Ｗｅｂサーバ３にアクセスする。ここで、ポイント蓄積による対価の還元を受けたい第三者は、クライアント２のプログラムを起動して、ポイント収集プログラムを配信するサーバ５にアクセスする。アクセス後、ポイントを使用するか、加算するかを選択する。【選択図】  図１
2004303127.tif 000002
【特許請求の範囲】
【請求項１】
ポイント取得者クライアント、ポイント収集者クライアント、ポイント配信者Ｗｅｂサーバ、ポイント収集者Ｗｅｂサーバ及びポイント収集プログラム配信元Ｗｅｂサーバが、それぞれ通信手段を介して通信回線に接続され、前記通信手段を介してポイントを取得して蓄積する方法において、
ポイント取得者クライアントが、ポイント配信者Ｗｅｂサーバにアクセスして取得したポイントを、ポイント取得者クライアントに設置された記録装置の領域に記憶する際に、そのポイントをポイント配信者別に分類して記憶することを特徴とするポイント取得蓄積方法。
【請求項２】
請求項１記載のポイント取得蓄積方法において、
ポイント取得者クライアントが、ポイント蓄積による対価の還元を受け取らせたい第三者が立設したポイント収集者Ｗｅｂサーバにアクセスした後、ポイントを加算すると判断した時には、ポイント収集者Ｗｅｂサーバにインストールされたポイント収集プログラムに、前記記録装置に記憶されたポイントを出力し、そのポイント収集プログラムがポイント収集者Ｗｅｂサーバの記録装置の領域に、ポイントを蓄積記憶させることを特徴とするポイント取得蓄積方法。
【請求項３】
ポイント取得者クライアント、ポイント収集者クライアント、ポイント配信者Ｗｅｂサーバ、ポイント収集者Ｗｅｂサーバ及びポイント収集プログラム配信元Ｗｅｂサーバが、それぞれ通信手段を介して通信回線に接続され、前記通信手段を介してポイントを取得蓄積に、蓄積したポイントを配信する方法において、
ポイント取得者クライアントがポイント収集プログラム配信元Ｗｅｂサーバにアクセスして利用者情報の照会を行なった後、ポイントを加算するか使用するかを判断し、加算すると判断したならポイント収集者Ｗｅｂサーバにインストールされたポイント収集プログラムのポイントを蓄積する領域に記憶されたポイントを利用者情報に対応させてデータベースに入力することを特徴とする取得蓄積ポイントの配信方法。
【請求項４】
請求項３記載の取得蓄積ポイントの配信方法において、
前記ポイントを使用すると判断したときには、ポイント収集プログラム配信元Ｗｅｂサーバのデータベースに入力されたポイントを、予めその配信元Ｗｅｂサーバに登録された対価品目のうち特定な品目と交換するようにしたことを特徴とする取得蓄積ポイントの配信方法。
【発明の詳細な説明】
【０００１】
【発明の属する技術分野】
この発明は、通信手段を介して当該事業者が独自に定める料率である「ポイント」を配信し、配信された「ポイント」を取得、収集して蓄積するポイント取得蓄積方法及び取得蓄積ポイントの配信方法に関するものである。
【０００２】
【従来の技術】
現在、通信手段を介しての物品の売買や譲渡などの商取引、及び企業が掲載する広告の閲覧行為などに際して、取引や広告掲載に関わる事業者が、取引されるもの又は閲覧されるものの物理的又は論理的な量や質に応じて、当該事業者が独自に定める料率で「ポイント」を算出し、取引や閲覧行為を行なう消費者に対して「ポイント」を提供することが行なわれている。
【０００３】
なお、物理的な量や質としては、例えば、物品・数量・値段など、また、論理的な量や質としては、広告などの不可算名詞的なもの、閲覧時間などである。
【０００４】
そして、消費者が蓄積した当該事業者提供の「ポイント」の量に応じて、当該事業者は、物理的又は論理的な対価を消費者に対して還元する仕組みを行なっている。
【０００５】
【特許文献１】
特開２００２−０８３３７１号公報
【０００６】
【特許文献２】
特開２００１−３３８１９９号公報
【０００７】
【発明が解決しようとする課題】
上記「ポイント」は、特定の事業者と、それと取引又は広告の閲覧行為を行なう特定の消費者との間でのみ有効となるものであり、「ポイント」の蓄積による対価の還元を、事業者との取引や広告閲覧行為を直接行なわない第三者が受け取ることはできないのが普通である。
【０００８】
この発明は、上記の事情に鑑みてなされたもので、不特定多数の事業者との取引又は不特定多数の事業者が掲載した広告を閲覧する行為を行なう不特定多数の消費者が、事業者との取引や広告閲覧行為を直接行なわない特定の第三者に対して、「ポイント」の蓄積による対価の還元を受け取らせることができるようにしたポイント取得蓄積方法及び取得蓄積ポイントの配信方法を提供することを課題とする。
【０００９】
【課題を解決するための手段】
この発明は、上記の課題を達成するために、第１発明は、ポイント取得者クライアント、ポイント収集者クライアント、ポイント配信者Ｗｅｂサーバ、ポイント収集者Ｗｅｂサーバ及びポイント収集プログラム配信元Ｗｅｂサーバが、それぞれ通信手段を介して通信回線に接続され、前記通信手段を介してポイントを取得して蓄積する方法において、
ポイント取得者クライアントが、ポイント配信者Ｗｅｂサーバにアクセスして取得したポイントを、ポイント取得者クライアントに設置された記録装置の領域に記憶する際に、そのポイントをポイント配信者別に分類して記憶することを特徴とするポイント取得蓄積方法である。
【００１０】
第２発明は、第１発明記載のポイント取得蓄積方法において、
ポイント取得者クライアントが、ポイント蓄積による対価の還元を受け取らせたい第三者が立設したポイント収集者Ｗｅｂサーバにアクセスした後、ポイントを加算すると判断した時には、ポイント収集者Ｗｅｂサーバにインストールされたポイント収集プログラムに、前記記録装置に記憶されたポイントを出力し、そのポイント収集プログラムがポイント収集者Ｗｅｂサーバの記録装置の領域に、ポイントを蓄積記憶させることを特徴とするポイント取得蓄積方法である。
【００１１】
第３発明は、ポイント取得者クライアント、ポイント収集者クライアント、ポイント配信者Ｗｅｂサーバ、ポイント収集者Ｗｅｂサーバ及びポイント収集プログラム配信元Ｗｅｂサーバが、それぞれ通信手段を介して通信回線に接続され、前記通信手段を介してポイントを取得蓄積に、蓄積したポイントを配信する方法において、
ポイント取得者クライアントがポイント収集プログラム配信元Ｗｅｂサーバにアクセスして利用者情報の照会を行なった後、ポイントを加算するか使用するかを判断し、加算すると判断したならポイント収集者Ｗｅｂサーバにインストールされたポイント収集プログラムのポイントを蓄積する領域に記憶されたポイントを利用者情報に対応させてデータベースに入力することを特徴とする取得蓄積ポイントの配信方法である。
【００１２】
第４発明は、第３発明記載の取得蓄積ポイントの配信方法において、
前記ポイントを使用すると判断したときには、ポイント収集プログラム配信元Ｗｅｂサーバのデータベースに入力されたポイントを、予めその配信元Ｗｅｂサーバに登録された対価品目のうち特定な品目と交換するようにしたことを特徴とする取得蓄積ポイントの配信方法である。
【００１３】
【発明の実施の形態】
以下この発明の実施の形態を図面に基づいて説明する。図１は、この発明の実施の形態を示すシステム構成説明図である。図１において、符号１は「ポイント」を取得して蓄積する消費者が使用するクライアントである。
【００１４】
このクライアント１には、「ポイント」を配信する不特定多数の事業者が立設したポイント配信者Ｗｅｂサーバ４、及びポイント蓄積による対価の還元を受けたい第三者が立設したポイント収集者Ｗｅｂサーバ３と、通信を行うためのプログラムが予めインストール（実装）されている。
【００１５】
符号２は、ポイント蓄積による対価の還元を受けたい第三者が使用するクライアントである。このクライアント２には、「ポイント」を収集して蓄積する方法を実現する仕組み（ポイント収集プログラム）を配信する配信者が立設した配信元Ｗｅｂサーバ５と通信を行うためのプログラムが、立設したポイント収集者Ｗｅｂサーバ３と同一の装置に予めインストールされている。
【００１６】
上記これらのクライアントプログラムは、ＷＷＷ（Ｗｏｒｌｄ  Ｗｉｄｅ  Ｗｅｂ）と呼ばれる通信プロトコル、すなわち、インターネットなどの通信ネットワークで使用されている通信プロトコルで通信を行う。
【００１７】
ポイント収集者Ｗｅｂサーバ３、ポイント配信者Ｗｅｂサーバ４及び配信元Ｗｅｂサーバ５は、クライアント１，２で表示するＨＴＭＬ文書及び他の情報である。
【００１８】
この実施の形態では、ＨＴＭＬ文書に名称（タグと呼ばれる）が記載されたリンク可能なファイル、例えば、イメージ、音声、テキスト、プログラム等のファイルを内部のハードディスクのような記録装置に記憶している。
【００１９】
ここで、ポイント蓄積による対価の還元を受けたい第三者がクライアント２のプログラムを起動すると、クライアント２は、予め定められている配信元Ｗｅｂサーバ５の通信アドレス（通常、ｈｔｔｐ：で始まる英文字列）を使用して、配信元Ｗｅｂサーバ５にアクセスする。
【００２０】
以下、配信元Ｗｅｂサーバ５の処理手順を図２のフローチャートを用いて述べる。
【００２１】
上記配信元Ｗｅｂサーバ５へのアクセスが成功すると、最初に表示される画面で、利用者として新規に登録する（図２のＳ１）か、既に登録済みの利用者として利用者情報（図１の（ａ））を入力して照会を行う（図２のＳ５）かを選択する。
【００２２】
ポイント蓄積による対価の還元を受けたい第三者がポイントの収集を開始する際は、まずポイント収集プログラムの利用者として新規に登録を行う。
【００２３】
その後、配信元Ｗｅｂサーバ５が保有するポイント収集プログラムｐｇ５を、クライアントプログラムを起動した装置（ポイント収集者Ｗｅｂサーバ３）にインストールする（図１の（ｂ）、図２のＳ２〜Ｓ４）。
【００２４】
このとき、配信元Ｗｅｂサーバ５では、入力された利用者情報（図１の（ａ））をデータベース６に入力する。
【００２５】
「ポイント」を取得して蓄積する消費者がクライアント１のプログラムを起動して、「ポイント」を配信する不特定多数の事業者が立設したポイント配信者Ｗｅｂサーバ４にアクセスする。
【００２６】
この後、物品や情報の売買・譲渡等の商取引及び広告を閲覧する行為を行なったとき（図１の購入掲載広告閲覧▲１▼）に、取引されるものの物理的又は論理的な量や質に応じて、当該事業者が定めた料率で算出された「ポイント」を、次のように記憶させる。
【００２７】
すなわち、消費者がクライアントプログラムを起動した装置のハードディスクのような記録装置上の「ポイント」を蓄積する領域に、「ポイント」を配信した事業者別に自動的に記憶する（図１のポイント配信▲２▼、ポイント蓄積▲３▼）。
【００２８】
「ポイント」を取得して蓄積する消費者は、クライアント１のプログラムを起動して、ポイント蓄積による対価の還元を受け取らせたい第三者が立設したポイント収集者Ｗｅｂサーバ３にアクセスする。アクセスに成功すると、最初に表示される画面で、「ポイント」を加算するを選択する（図１のポイント加算▲４▼、図３のＳ２１）。
【００２９】
以下、図３に示すフローチャートのステップＳ２２，Ｓ２３ように動作し、ポイント収集者Ｗｅｂサーバ３にインストールされたポイント収集プログラムｐｇ３に、クライアントプログラムを起動した装置の「ポイント」を蓄積する領域に記憶された「ポイント」を出力する（図１のポイント蓄積▲５▼）とともに、上記の起動した装置の「ポイント」を蓄積する領域をクリアする。
【００３０】
その後、ポイント収集者Ｗｅｂサーバ３にインストールされたポイント収集プログラムｐｇ３は、クライアントプログラムを起動した装置から入力された「ポイント」を、プログラムが「ポイント」を蓄積する領域に、「ポイント」を配信した事業者別に記憶する。
【００３１】
ポイント蓄積による対価の還元を受けたい第三者は、クライアント２のプログラムを起動して、ポイント収集プログラムを配信する配信者が立設した配信元Ｗｅｂサーバ５にアクセスする。
【００３２】
アクセスに成功すると、既に登録済みの利用者として利用者情報（ａ）を入力して照会を行う。照会が成功すると、次に表示される画面で、「ポイント」を加算する（図２のＳ８）か、「ポイント」を使用する（図２のＳ１１）かを選択する。
【００３３】
「ポイント」を加算する（図２のＳ８）を選択した場合は、図２のステップＳ９、ステップＳ１０の動作を行い、クライアントプログラムを起動した装置（ポイント収集者Ｗｅｂサーバ３）にインストールされたポイント収集プログラムｐｇ３の「ポイント」を蓄積する領域に記憶された「ポイント」を、配信元Ｗｅｂサーバ５に出力する（図１の利用者情報照会ポイント加算（ｃ），ポイント蓄積（ｄ））とともに、プログラムの「ポイント」を蓄積する領域をクリアする。
【００３４】
その後、配信元Ｗｅｂサーバ５は、クライアントプログラムを起動した装置から入力された「ポイント」を、利用者情報（ａ）に対応させてデータベース６に、「ポイント」を配信した事業者別に記憶する。
【００３５】
上記において、図２のステップＳ１１で「ポイント」を使うを選択した場合は、図２のステップＳ１２、ステップＳ１３の動作を行い、配信元Ｗｅｂサーバ５のデータベース６に記憶された「ポイント」を、予め配信元Ｗｅｂサーバ５に登録された対価品目のうち好きな品目に交換する（図１の利用者情報照会ポイント加算（ｅ）、利用者登録（ｆ））。
【００３６】
なお、符号７は各サーバ等が接続される通信回線である。
【００３７】
【発明の効果】
以上述べたように、この発明によれば、通信手段を介した商取引や広告掲載の拡大に伴い、ポイント制による消費者への利益還元を、現状の事業者ごとのサービスから、業界全体のサービスヘ、業界をまたいだサービスヘと拡張することが容易となり、利便性が高くなる。また、消費者は、ポイント蓄積による対価の還元を受け取らせたい第三者を選択することができるため、特に児童福祉など営利を目的としない第三者に対する援助を推進することができる利点も得られる。
【図面の簡単な説明】
【図１】この発明の実施の形態を示すシステム構成説明図。
【図２】配信元Ｗｅｂサーバの処理手順を示すフローチャート。
【図３】ポイント収集者Ｗｅｂサーバの処理手順を示すフローチャート。
【符号の説明】
１…ポイント取得者クライアント
２…ポイント収集者クライアント
３…ポイント収集者Ｗｅｂサーバ
４…ポイント配信者Ｗｅｂサーバ
５…ポイント収集プログラム配信元Ｗｅｂサーバ
６…データベース
７…通信回線
ｐｇ３，ｐｇ５…ポイント収集プログラム
【図１】
2004303127.tif 000003
【図２】
2004303127.tif 000004
【図３】
2004303127.tif 000005